【手続補正書】
【提出日】平成17年6月15日(2005.6.15)
【手続補正１】
【補正対象書類名】明細書
【補正対象項目名】発明の名称
【補正方法】変更
【補正の内容】
【発明の名称】電子機器とその制御回路及び画像形成装置における制御方法、及び電源ユニット
【手続補正２】
【補正対象書類名】明細書
【補正対象項目名】特許請求の範囲
【補正方法】変更
【補正の内容】
【特許請求の範囲】
【請求項１】
商用電源の種類に対応してＤＣ電圧を出力する電源回路を具備する第１回路基板と、
前記第１回路基板と接続され、前記商用電源の種類に応じた制御を行う制御回路を具備する第２回路基板とを有し、
前記第１回路基板は所定のＤＣ電圧に基づいて、前記商用電源の種類に対応したアナログ電圧を生成する生成手段を有し、前記制御回路は前記アナログ電圧に応じて制御を切り替えることを特徴とする電子機器。
【請求項２】
前記電子機器は画像形成装置であることを特徴とする請求項１に記載の電子機器。
【請求項３】
前記制御回路は、前記画像形成装置の定着ヒータの制御を切り換えることを特徴とする請求項２に記載の電子機器。
【請求項４】
前記所定のＤＣ電圧は、前記画像形成装置のドアの開閉に応じて出力或いは遮断されるＤＣ電源電圧であることを特徴とする請求項２に記載の電子機器。
【請求項５】
前記アナログ電圧は、前記所定のＤＣ電圧を抵抗により分圧した電圧であることを特徴とする請求項１に記載の電子機器。
【請求項６】
商用電源の種類に対応してＤＣ電圧を出力する電源回路を具備する第１回路基板と、前記第１回路基板と接続され、前記商用電源の種類に応じた制御を行う制御回路を具備する第２回路基板とを有する画像形成装置における制御方法であって、
前記第１回路基板から所定のＤＣ電圧に基づいて、前記商用電源の種類に対応したアナログ電圧を出力し、
前記制御回路は前記アナログ電圧に応じて制御を切り替えることを特徴とする画像形成装置における制御方法。
【請求項７】
前記制御回路は、前記画像形成装置の定着ヒータの制御を切り換えることを特徴とする請求項６に記載の制御方法。
【請求項８】
前記所定のＤＣ電圧は、前記画像形成装置のドアの開閉に応じて出力或いは遮断されるＤＣ電源電圧であることを特徴とする請求項６に記載の制御方法。
【請求項９】
前記アナログ電圧は、前記所定のＤＣ電圧を抵抗により分圧した電圧であることを特徴とする請求項６に記載の制御方法。
【請求項１０】
商用電源により駆動される電子機器であって、
商用電源に基づいて複数のＤＣ電圧を出力する電源回路と、
前記電源回路から出力される第１ＤＣ電圧に基づいて前記第１ＤＣ電圧よりも高い電圧を発生する高電圧回路と、
前記第１ＤＣ電圧を分圧し、前記電源回路の種類に応じた電圧信号を生成する電圧生成手段と、
前記電源回路から出力される第２ＤＣ電圧により電源電力が供給され、前記電圧生成手段により生成された前記電圧信号を入力して前記電源回路の種類を判定する制御回路と、
を有することを特徴する電子機器。
【請求項１１】
前記商用電源により供給される電力に基づいて駆動されるヒータユニットを更に有し、前記制御回路は、前記判定した電源回路の種類に応じて前記ヒータユニットの制御を変更することを特徴とする請求項１０に記載の電子機器。
【請求項１２】
前記電子機器のカバーが開けられた場合に、前記高電圧回路への前記第１ＤＣ電圧の供給を遮断する遮断器を更に有することを特徴とする請求項１０に記載の電子機器。
【請求項１３】
前記電子機器のカバーが開けられた場合に、前記制御回路に前記カバーが開けられたことを通知する手段を更に有することを特徴とする請求項１２に記載の電子機器。
【請求項１４】
前記電子機器はレーザビームプリンタであり、前記ヒータユニットは定着用のヒータであることを特徴とする請求項１１に記載の電子機器。
【請求項１５】
商用電源に応じて異なる種類の電源回路が取り付けられる電子機器の制御回路であって、
取り付けられている電源回路から出力される、その電源回路の種類に応じたレベルのアナログ信号を入力する入力回路と、
前記入力回路によって入力されたアナログ信号をデジタル信号に変換するアナログ／デジタル変換回路と、
前記アナログ／デジタル変換回路によって変換されたデジタル信号に基づいて、前記商用電源に応じた制御を実行する制御回路と、
を有することを特徴とする電子機器の制御回路。
【請求項１６】
前記電子機器は、画像形成装置であることを特徴とする請求項１５に記載の電子機器の制御回路。
【請求項１７】
前記画像形成装置は定着ヒータを有し、前記制御回路は、前記アナログ／デジタル変換回路によって変換されたデジタル信号に基づいて、前記商用電源に応じた前記定着ヒータへの供給電力制御を実行することを特徴とする請求項１６に記載の電子機器の制御回路。
【請求項１８】
更に、前記入力回路には、前記画像形成装置のドアの開閉のいずれか一方の状態のときに、取り付けられている電源回路の種類に応じたレベルのアナログ信号が入力され、前記いずれかの他方の状態の時には、前記他方の状態に対応したレベルのアナログ信号が入力され、前記制御回路は、前記アナログ／デジタル変換回路によって変換されたデジタル信号に基づいて、前記画像形成装置のドアの状態を認識することを特徴とする請求項１６に記載の電子機器の制御回路。
【請求項１９】
商用電源に応じて異なる制御を実行する制御回路を備えた電子機器に取り付けられる電源ユニットであって、
使用される商用電源に応じた電源回路であって、前記電子機器に電力供給するための電源回路と、
使用される商用電源に応じたレベルのアナログ信号を出力する出力回路と、
を具備することを特徴とする電源ユニット。
【請求項２０】
前記出力回路は、前記電子機器のドアの開閉のいずれか一方の状態のときに、使用される商用電源に応じたレベルのアナログ信号を出力し、前記いずれかの他方の状態の時には、前記他方の状態に対応したレベルのアナログ信号を出力することを特徴とする請求項１９に記載の電源ユニット。
【手続補正３】
【補正対象書類名】明細書
【補正対象項目名】０００１
【補正方法】変更
【補正の内容】
【０００１】
【発明の属する技術分野】
本発明は、商用電源の電源電圧により異なる制御を行う制御回路を含む電子機器とその制御回路及び画像形成装置における制御方法、及び電源ユニットに関するものである。
【手続補正４】
【補正対象書類名】明細書
【補正対象項目名】０００７
【補正方法】変更
【補正の内容】
【０００７】
本発明は上記従来例に鑑みてなされたもので、接続されている商用電源の種類を識別して、各種商用電源に対応できる制御回路を備えた電子機器とその制御回路及び画像形成装置における制御方法、及び電源ユニットを提供することを目的とする。
【手続補正５】
【補正対象書類名】明細書
【補正対象項目名】０００８
【補正方法】変更
【補正の内容】
【０００８】
【課題を解決するための手段】
上記目的を達成するために本発明の電子機器は以下のような構成を備える。即ち、
商用電源の種類に対応してＤＣ電圧を出力する電源回路を具備する第１回路基板と、
前記第１回路基板と接続され、前記商用電源の種類に応じた制御を行う制御回路を具備する第２回路基板とを有し、
前記第１回路基板は所定のＤＣ電圧に基づいて、前記商用電源の種類に対応したアナログ電圧を生成する生成手段を有し、前記制御回路は前記アナログ電圧に応じて制御を切り替えることを特徴とする。
また上記目的を達成するために本発明の電子機器は以下のような構成を備える。即ち、
商用電源により駆動される電子機器であって、
商用電源に基づいて複数のＤＣ電圧を出力する電源回路と、
前記電源回路から出力される第１ＤＣ電圧に基づいて前記第１ＤＣ電圧よりも高い電圧を発生する高電圧回路と、
前記第１ＤＣ電圧を分圧し、前記電源回路の種類に応じた電圧信号を生成する電圧生成手段と、
前記電源回路から出力される第２ＤＣ電圧により電源電力が供給され、前記電圧生成手段により生成された前記電圧信号を入力して前記電源回路の種類を判定する制御回路とを有することを特徴する。
【手続補正６】
【補正対象書類名】明細書
【補正対象項目名】０００９
【補正方法】変更
【補正の内容】
【０００９】
上記目的を達成するために本発明の画像形成装置における制御方法は以下のような工程を備える。即ち、
商用電源の種類に対応してＤＣ電圧を出力する電源回路を具備する第１回路基板と、前記第１回路基板と接続され、前記商用電源の種類に応じた制御を行う制御回路を具備する第２回路基板とを有する画像形成装置における制御方法であって、
前記第１回路基板から所定のＤＣ電圧に基づいて、前記商用電源の種類に対応したアナログ電圧を出力し、
前記制御回路は前記アナログ電圧に応じて制御を切り替えることを特徴とする。
また上記目的を達成するために本発明の電子機器の制御回路は以下のような構成を備える。即ち、
商用電源に応じて異なる種類の電源回路が取り付けられる電子機器の制御回路であって、
取り付けられている電源回路から出力される、その電源回路の種類に応じたレベルのアナログ信号を入力する入力回路と、
前記入力回路によって入力されたアナログ信号をデジタル信号に変換するアナログ／デジタル変換回路と、
前記アナログ／デジタル変換回路によって変換されたデジタル信号に基づいて、前記商用電源に応じた制御を実行する制御回路とを有することを特徴とする。